(57)【要約】【課題】特に内部に二つの磁石フレーム構造を設けて磁気を強めることにより、音声出力の能力を高めるスピーカーを提供する。【解決手段】本考案のスピーカーは、中空のヨーク１１の一端にプレート、ボイスコイル、ダンピングプレートが設けられるスピーカーであり、前記中空のヨークの底部に設けられる中心磁石１２と、その中心磁石１２と同軸になるように所定の間隔をおいて中心磁石の周囲に設けられるリング状磁石１３と、を有することを特徴とする。【選択図】　図１
0003098542.tif 000002
【実用新案登録請求の範囲】
【請求項１】
中空のヨークの一端にプレート、ボイスコイル、ダンピングプレートが設けられるスピーカーであって、
前記中空のヨークの底部に設けられる中心磁石と、
その中心磁石と同軸になるように所定の間隔をおいて中心磁石の周囲に設けられるリング状磁石と、を有することを特徴とするスピーカー。
【請求項２】
前記中心磁石とリング状磁石とは、極性の異なる電極が対向するように配置されて、磁気回路を構成することを特徴とする請求項１に記載のスピーカー。
【考案の詳細な説明】
【０００１】
【考案の属する技術分野】
本考案は、特に内部に二つの磁石フレーム構造を設けて磁気を強めることにより、音声出力の能力を高めるスピーカーに関するものである。
【０００２】
【従来の技術】
図４に示すように、従来のスピーカーは中空のヨーク（５０）を有し、ヨーク（５０）の内部中央に永久磁石（５１）が設置され、その永久磁石（５１）の側辺に円柱形のポールピース（５２）が設置されると共に、ポールピース（５２）の外側にボイスコイル（５３）が設置され、更に、ヨーク（５０）の一端にプレート（５４）が設置され、プレート（５４）の中央に貫通孔（５４１）が形成され、その貫通孔（５４１）の内部に前記ポールピース（５２）及びその外側に設けられるボイスコイル（５３）が嵌め込まれる。また、前記ボイスコイル（５３）の側端にダンピングプレート（５５）及び円錐状のコーン紙（５６）が設置され、該コーン紙（５６）の外縁はプレート（５４）上に設けられる円錐状のフレーム（５７）に固定されると共に、コーン紙（５６）の中央にはボイスコイル（５３）及びポールピース（５２）をヨーク（５０）内に設置し、それらを密閉するためのセンターキャップ（５６１）が設置される。
【０００３】
以下、前記スピーカーの作動原理を説明する。
前記従来のスピーカは、ボイスコイル（５３）に電流を流して磁場を発生させ、その磁場と永久磁石（５１）の磁場とを反応させてダンピング部材（５５）を振動させる。そして、それら印加された電流強度と磁石（５１）の磁力強度によりスピーカーの音量の出力レベル及び周波数レベルを決定する。
更に、図４中に表された破線は磁石（５１）の磁力分布を示すものであり、ヨーク（５０）内において磁束回路が構成され、この時、磁力は磁石（５１）のＮ極からヨーク（５０）を介してＳ極に戻り、その磁場はボイスコイルから発生する磁場と反応し合う。
【０００４】
また、図５に示すように、他のスピーカーは図４に示すスピーカーとは異なり、ヨーク（５０）がＴ形であると共に、環状の永久磁石（５１）を設けることにより外磁型のスピーカーを構成している。この磁石（５１）は該Ｔ形のヨーク（５０）を利用して回路を構成する。更に、図５中に表された破線は環状の磁石（５１）の磁力がＮ極を介してＳ極に流れる径路を示すものである。
【０００５】
【考案が解決しようとする課題】
前記内磁型及び外磁型の二種類のスピーカーは、ヨーク（５０）により磁気回路を構成させるが、このような構成ではヨーク（５０）本体により磁力部が摩損し、磁場強度が低下してしまうので、スピーカーの感度や音声出力の能力に悪影響を与えてしまう。
【０００６】
上述した事情に鑑み、本願考案は、特に内部に二つの磁石フレーム構造を設けて磁気を強めることにより、音声出力の能力を高めるスピーカーを提供することを目的とする。
【０００７】
【課題を解決するための手段】
上述した課題を解決するため、
本考案は、
中空のヨークの一端にプレート、ボイスコイル、ダンピングプレートが設けられるスピーカーであって、
前記中空のヨークの底部に設けられる中心磁石と、
その中心磁石と同軸になるように所定の間隔をおいて中心磁石の周囲に設けられるリング状磁石と、を有することを特徴とするスピーカー、を提供する。
【０００８】
【考案の実施の形態】
（作用）
本考案に係るスピーカーは上記の課題を解決するものであり、中空のヨークの底部に設けられる中心磁石と、その中心磁石と同軸になるように所定の間隔をおいて中心磁石の周囲に設けられるリング状磁石と、を有し、この二つの磁石を有する構成のスピーカーによれば、該二つの永久磁石が磁気回路において磁力を発生させる構成であるので、摩損による磁力の低下を防ぎつつ、全体の磁場強度を高めることができると共に、スピーカーの感度及び音声出力能力も向上させることができ、更に、スピーカーの小型化を図る際には、所望の出力音量を維持することができる。
【０００９】
以下、添付図面を参照して本考案の好適な実施の形態を詳細に説明する。
【００１０】
図１は本考案に係るスピーカーの側面断面図であり、図２は本考案に係るスピーカーの、異なる周波数においての出力を示した特性曲線図である。
【００１１】
図１は本考案のスピーカーの構成を示す側面断面図であり、その内ヨーク（１１）の一端上方に設置される部材構成は、図４及び図５に示す構成とほぼ同じであるため、その説明を省略する。一方、異なる点としては、ヨーク（１１）の内部に特殊配列の磁石を設けて、スピーカー内部の磁気強度を高めるところである。詳細に説明すると、ヨーク（１１）の内部中央に円形の中心磁石（１２）が設けられ、その中心磁石（１２）の周囲に、該中心磁石（１２）と同軸になるように所定の間隔をおいてリング状磁石（１３）が設けられ、それら中心磁石とリング状磁石とは、Ｎ，Ｓ極性の異なる電極が対向するように配置されて、磁気回路を構成する。即ち、図中に示すように、中心磁石（１２）のＮ極からの磁力線はリング状磁石（１３）の内部におけるＳ，Ｎ極を介して、中心磁石（１２）のＳ極へ戻る。上述したように、この構成によれば磁気回路を構成するのは磁石であると共に、ヨーク（１１）を用いる部分がかなり減少するので、磁気回路の受ける磁力損失が大幅に低減され、優れた磁気強度を確保できる。
【００１２】
図２及び図３は本考案及び従来のスピーカーの、異なる周波数においての出力を示した特性曲線図であり、ｘ軸方向は周波数（ログ間隔を表す）を表し、ｙ軸方向は音声出力を表す。以下に異なる周波数において得られる音声出力能力を示す。
【００１３】
【表１】
0003098542.tif 000003
上記表中からも分かるように、前記中心磁石（１２）とリング状磁石（１３）とを組合わせて磁気強度を強め、音声の出力能力を向上させることにより、スピーカーの出力音量を高めることができる。
【００１４】
尚、上述の図１及び図２に示すスピーカーは単に本考案の一部の形態であり、本明細書に示す主張の範囲内であれば如何なる形態に構成させてもよく、また、容易に想到し得る範囲内である場合も、当然本考案の主張範囲に属することは言うまでもない。
【００１５】
【考案の効果】
本考案は上記の構成を有するので、スピーカーを小型化したとしても、二つの磁石の組み合わせ構成により音声の出力強度を維持でき、且つ搭載する製品全体の体積も低減できるので、携帯電話など様々な通信機器のスピーカーとして有効に適用できる。
【図面の簡単な説明】
【図１】本考案に係るスピーカーの側面断面図である。
【図２】本考案に係るスピーカーの、異なる周波数においての出力を示した特性曲線図である。
【図３】従来のスピーカーの、異なる周波数においての出力を示した特性曲線図である。
【図４】従来のスピーカーの側面断面図である。
【図５】従来のスピーカーの他の構成を示す側面断面図である。
【符号の説明】
１１，５０　　　　ヨーク
１２　　　　中心磁石
１３　　　　リング状磁石
５１　　　　磁石
５２　　　　ポールピース
５３　　　　ボイスコイル
５４　　　　プレート
５４１　　　　貫通孔
５５　　　　ダンピング材
５６　　　　コーン紙
５６１　　　　センターキャップ
５７　　　　フレーム
【図１】
0003098542.tif 000004
【図２】
0003098542.tif 000005
【図３】
0003098542.tif 000006
【図４】
0003098542.tif 000007
【図５】
0003098542.tif 000008